(57)【要約】【課題】  ウェイト位置が調節可能なゴルフクラブヘッドを提供すること。【解決手段】  ボディとウェイト７１０をゴルフクラブヘッドに備える。ボディには、トゥエンド３３０、ヒールエンド３３２、フロントエンド３３４、バックエンド３３６、頂壁部３４２、底壁部３４４、およびロフト角５５０を備えるフェース部３４０を有する。ウェイト７１０は、フロントエンド面５１０から所定の距離７２０に配置される。また、ウェイト７１０は、フロントエンド３３４とバックエンド３３６の間の軸３８０に沿って配置される。前述の距離７２０はロフト角５５０に反比例する。【選択図】図９
2010029660.tif 000002
【特許請求の範囲】
【請求項１】
クラブヘッドであって、
トウエンドと、ヒールエンドと、フロントエンドと、バックエンドと、頂壁部と、底壁部と、底面に垂直なフロントエンド面及びロフト面によって定義される所定のロフト角を有するフェース部と、を備えるボディと、
前記フロントエンド面から所定の距離又はその近傍に配されるとともに、前記フロントエンドと前記バックエンドの間に延びる軸上に配されるウェイトを有しており、
前記距離は、ロフト角に反比例するクラブヘッド。
【請求項２】
前記距離は、線形状に前記ロフト角に反比例する距離と非線形状に前記ロフト角に反比例する距離の少なくともいずれか１つを備える、請求項１に記載のクラブヘッド。
【請求項３】
前記距離は、以下の式 
（（−０．０８６×θ）＋３．７９７）≧ｘ≧（（−０．０８６×θ）＋２．７９７）
によって定義される距離を備えており、ｘの単位はインチであり、θの単位は角度である、請求項１に記載のクラブヘッド。
【請求項４】
前記距離は、以下の式
ｘ＝（−０．０８６×θ）＋３．２９７
によって定義される距離を備えており、ｘの単位はインチであり、θの単位は角度である、請求項１に記載のクラブヘッド。
【請求項５】
前記距離は、以下の式
ｘ＝（−０．００９×θ＾２）＋（０．１９４×θ）＋１．１９２
によって定義される距離を備えており、ｘの単位はインチであり、θの単位は角度である、請求項１に記載のクラブヘッド。
【請求項６】
前記ウェイトは、前記ボディに内含されるウェイトと、調節可能なウェイトの少なくともいずれか１つを備える、請求項１に記載のクラブヘッド。
【請求項７】
前記ウェイトは、前記底壁部に、又は、前記底壁部の近傍に配される少なくとも一つもしくは複数のウェイトを備える、請求項１に記載のクラブヘッド。
【請求項８】
前記ウェイトは、楕円形状、円形状、多角形形状、自由形状のうち、少なくとも一つの形状を有する、請求項１に記載のクラブヘッド。
【請求項９】
前記ウェイトは、少なくとも４８グラムの質量を有するウェイトを備える、請求項１に記載のクラブヘッド。
【請求項１０】
前記ウェイトは、長さ２．３インチ、幅１．５インチ、厚さ０．３インチの寸法を有するウェイトを備える、請求項１に記載のクラブヘッド。
【請求項１１】
前記クラブヘッドは、ドライバータイプ、フェアウェイウッドタイプ、ハイブリッドタイプ、アイアンタイプ、ウエッジタイプ、パタータイプのゴルフクラブヘッドのうちの少なくとも一つを構成する、請求項１に記載のクラブヘッド。
【請求項１２】
第１トウエンドと、第１ヒールエンドと、第１フロントエンドと、第１バックエンドと、第１頂壁部と、第１底壁部と、第１底面に垂直な第１フロントエンド面及び第１ロフト面によって定義される第１ロフト角を有する第１フェース部と、前記第１フロントエンド面から第１距離又はその近傍に配置されるとともに、前記第１フロントエンドと前記第１バックエンドの間に延びる軸上に配置された第１ウェイトと、を備える第１のクラブヘッドを有する第１のクラブと、
第２トウエンドと、第２ヒールエンドと、第２フロントエンドと、第２バックエンドと、第２頂壁部と、第２底壁部と、第２底面に垂直な第２フロントエンド面及び第２ロフト面によって定義される第２ロフト角を有する第２フェース部と、前記第２フロントエンド面から第２距離又はその近傍に配置されるとともに、前記第２フロントエンドと前記第２バックエンドの間に延びる軸上に配置された第２ウェイトと、を備える第２のクラブヘッドを有する第２のクラブと、
を備え、
前記第１ロフト角は前記第２ロフト角よりも大きく、
前記第１距離は前記第２距離よりも小さい、
ゴルフクラブのセット。
【請求項１３】
前記第１距離または前記第２距離の少なくともいずれかが、線形状に前記ロフト角に反比例する距離と非線形状に前記ロフト角に反比例する距離の少なくともいずれか１つを備える、請求項１２に記載のゴルフクラブのセット。
【請求項１４】
前記第１距離もしくは前記第２距離の少なくともいずれかが、以下の式
（（−０．０８６×θ）＋３．７９７）≧ｘ≧（（−０．０８６×θ）＋２．７９７）
によって定義される距離を備えており、ｘの単位はインチであり、θの単位は角度である、請求項１２に記載のゴルフクラブのセット。
【請求項１５】
前記第１距離もしくは前記第２距離の少なくともいずれかが、以下の式
ｘ＝（−０．０８６×θ）＋３．２９７
によって定義される距離を備えており、ｘの単位はインチであり、θの単位は角度である、請求項１２に記載のゴルフクラブのセット。
【請求項１６】
前記第１距離もしくは前記第２距離の少なくともいずれかが、以下の式
ｘ＝（−０．００９×θ＾２）＋（０．１９４×θ）＋１．１９２
によって定義される距離を備えており、ｘの単位はインチであり、θの単位は角度である、請求項１２に記載のゴルフクラブのセット。
【請求項１７】
前記第１ウェイトもしくは前記第２ウェイトの少なくともいずれかは、前記ボディに内含されるウェイトと、調節可能なウェイトの少なくともいずれか１つを備える、請求項１２に記載のゴルフクラブのセット。
【請求項１８】
前記第１ウェイトもしくは前記第２ウェイトの少なくともいずれかは、前記底壁部に、又は前記底壁部の近傍に配される少なくとも一つもしくは複数のウェイトを備える、請求項１２に記載のゴルフクラブのセット。
【請求項１９】
前記第１ウェイトもしくは前記第２ウェイトの少なくともいずれかは、楕円形状、円形状、多角形形状、自由形状のうち、少なくとも一つの形状を有する、請求項１２に記載のゴルフクラブのセット。
【請求項２０】
トウエンドと、ヒールエンドと、フロントエンドと、バックエンドと、頂壁部と、底壁部と、底面に垂直なフロントエンド面及びロフト面によって定義されるロフト角を有するフェース部と、を備えるボディを用意する工程と、
前記フロントエンド面から所定の距離又はその近傍であって、かつ、前記フロントエンドと前記バックエンドの間に延びる軸上となる位置にウェイトを配置する工程と、を備え、
前記距離は、前記ロフト角に反比例する、方法。
【請求項２１】
前記ウェイトを配置する工程は、少なくとも、
前記ロフト角に線形状に反比例する距離に前記ウェイトを配置する工程と、
前記ロフト角に非線形状に反比例する距離に前記ウェイトを配置する工程の、いずれか１つを備える、請求項２０に記載の方法。
【請求項２２】
前記ウェイトを配置する工程は、
前記ウェイトを、以下の式
（（−０．０８６×θ）＋３．７９７）≧ｘ≧（（−０．０８６×θ）＋２．７９７）
によって定義される距離に、又はその近傍に配置する工程を備えており、
ｘの単位はインチであり、θの単位は角度である、請求項２０に記載の方法。
【請求項２３】
前記ウェイトを配置する工程は、
前記ウェイトを、以下の式
ｘ＝（−０．０８６×θ）＋３．２９７
によって定義される距離に配置する工程を備えており、
ｘの単位はインチであり、θの単位は角度である、請求項２０に記載の方法。
【請求項２４】
前記ウェイトを配置する工程は、
前記ウェイトを、以下の式
ｘ＝（−０．００９×θ＾２）＋（０．１９４×θ）＋１．１９２
によって定義される距離に配置する工程を備えており、
ｘの単位はインチであり、θの単位は角度である、請求項２０に記載の方法。
【請求項２５】
前記ウェイトは、前記ボディに内含されるウェイトと、調節可能なウェイトの少なくともいずれか１つを備える、請求項２０に記載の方法。
【発明の詳細な説明】
【技術分野】
【０００１】
本開示は広くゴルフ用具に関する。本開示は特に、ロフト角に基づくウェイトを有するゴルフクラブヘッドとゴルフクラブヘッドの製造方法に関する。
【背景技術】
【０００２】
一般的に、ゴルフショットにおいて、ゴルフクラブのクラブヘッドからゴルフボールにエネルギーが伝達される。初期速度、バック回転率、および発射角を含むいくつかの要素がゴルフボールの飛行に影響する。クラブヘッドの速度に加えて、クラブヘッドの形状や構造はゴルフボールの初期速度、回転率、及び／又は発射角に影響する。ゴルフボールの初期速度は、クラブヘッドとゴルフボールとが衝突する際のクラブヘッド速度に基づく。他のすべての要素が一定であれば、ボールの初期速度が速ければより遠くにゴルフボールを飛ばすことができる。
【０００３】
クラブヘッドの物理的な幾何学構造はロフト角(例えばクラブロフト)によって定義することができる。特に、ロフト角は、フロントエンド面とロフト面(例えば、クラブフェースに平行な面)との間の角度によって表される。クラブヘッドがゴルフボールに衝突するとき、ゴルフボールに回転が加わる。ゴルフボールのボール飛行と飛距離はクラブヘッドによって加えられた回転によって変化する。例えば、比較的大きなロフト角を有するクラブヘッドは、比較的高いボール飛行を得られるが、飛行距離は比較的短くなる。対照的に、比較的小さいロフト角を有するクラブヘッドは、比較的長い飛距離を得られるが、ボール飛行は比較的低くなる。したがって、１セットのゴルフクラブは、様々な範囲のボール飛行と飛距離を提供するために、所定の順序に従って異なるロフト角を数種類有することが望ましい。
【発明の概要】
【発明が解決しようとする課題】
【０００４】
本願に開示される技術の目的は、適切なボール飛行のためのゴルフクラブヘッドを提供することである。
【課題を解決するための手段】
【０００５】
本願に開示されるクラブヘッドは、ボディとウェイトを備えている。また、ボディはトゥエンドと、ヒールエンドと、フロントエンドと、バックエンドと、頂壁部と、底壁部と、ロフト角を有するフェース部を備えている。ロフト角はロフト面と底面に垂直なフロントエンド面とによって定義される。フロントエンド面から所定の距離に、又は、実質的に上記した距離に、ウェイトが配置されてもよい。また、ウェイトは、フロントエンドとバックエンドの間に延びる軸上に配置してもよい。フロントエンド面からの距離は、ロフト角に反比例してもよい。
【図面の簡単な説明】
【０００６】
【図１】本願に開示される装置、製造方法、及び製造物に基づくゴルフクラブヘッドの一例の上面斜視図である。
【図２】図１のゴルフクラブヘッドをヒールエンド側からみた図の一例を示す。
【図３】本願に開示されるゴルフクラブヘッドを頂部側からみた図の一例を示す。
【図４】本願に開示されるゴルフクラブヘッドを頂部側からみた図の別例を示す。
【図５】図３のゴルフクラブヘッドをヒールエンド側からみた図の一例を示す。
【図６】図４のゴルフクラブヘッドをヒールエンド側からみた図の一例を示す。
【図７】図３のゴルフクラブヘッドの線７−７に沿った断面の一例を示す。
【図８】図４のゴルフクラブヘッドの線８−８に沿った断面の一例を示す。
【図９】図５のゴルフクラブヘッドの線９−９に沿った断面の一例を示す。
【図１０】図６のゴルフクラブヘッドの線１０−１０に沿った断面の一例を示す。
【図１１】ロフト角に対するウェイトの位置のグラフの一例を示す。
【図１２】ロフト角に対するウェイトの位置のグラフの別の一例を示す。
【図１３】ボールの飛行高さに対する飛距離のグラフの一例を示す。
【図１４】ゴルフクラブヘッドの製造方法のフローチャートの一例を示す。
【発明を実施するための形態】
【０００７】
概して、ロフトに基づくウェイトを備えたゴルフクラブヘッドに関わる装置、方法、及び製造物が以下に開示される。本願に開示される方法、装置、及び製造物は、以下に開示される態様に限定されるものではない。
【０００８】
図１と図２の例に示すように、ゴルフヘッド１００は、トゥエンド１３０、ヒールエンド１３２、フロントエンド１３４、バックエンド１３６、フェース部１４０、頂壁部１４２（例えばクラウン）、そして底壁部１４４（例えばソール）を備えていてもよい。ゴルフクラブヘッド１００は、例えばチタニウム、チタン合金、又は、その他の適切な材料のうち、１種もしくは複数の材料から形成されていてもよい。
【０００９】
トゥエンド１３０はヒールエンド１３２の反対側にあって、フロントエンド１３４はバックエンド１３６の反対側であってもよい。フェース部１４０はフロントエンド１３４にあって、ゴルフボール（図示しない）を打つように構成されていてもよい。特に、フェース部１４０は複数の溝１５０を有していてもよい。複数の溝１５０は、フェース部１４０のトゥエンド１３０とヒールエンド１３２の間に伸びていてもよい。頂壁部１４２は底壁部１４４の反対側であってもよい。
【００１０】
ゴルフクラブヘッド１００はさらに、ホーゼル１６０とホーゼル遷移部１６５を備えていてもよい。例えば、ホーゼル１６０はヒールエンド１３２、またはその近傍に配置されていてもよい。ホーゼル１６０はクラブヘッド１００からホーゼル遷移部１６５を経て延びていてもよい。ゴルフクラブを形成するために、ホーゼル１６０はシャフト１９８の第１端を受け入れてもよい。シャフト１９８はゴルフクラブヘッド１００に接着剤（例えばエポキシ）、もしくは他の適当な接着手法（例えば機械的結合、はんだ付け、溶接、蝋接等）によって固定されてもよい。さらに、ゴルフクラブを完成させるために、グリップ１９９はシャフト１９８の第２端に固定されてもよい。
【００１１】
上述例では、ゴルフクラブヘッド１００の様々な部分や表面について述べたが、ゴルフクラブヘッド１００は、それらのうちの特定の部分や面を含まなくてもよい。例えば、１つもしくは複数の図において、頂壁部１４２が底壁部１４４に直接連続するように図示されているが、ゴルフクラブヘッド１００は別々の側壁部（例えばスカート）を有していてもよい。特に、側壁部は頂壁部１４２と底壁部１４４の間に位置し、トゥエンド１３０からヒールエンド１３２までのゴルフクラブヘッド１００のバックエンド１３６を取り囲んでもよい。さらに、１つもしくは複数の図において、ホーゼル１６０とホーゼル遷移部１６５を図示しているが、ゴルフクラブヘッド１００はホーゼル１６０や、ホーゼル遷移部１６５を備えなくてもよい。一つの例では、クラブヘッド１００は、シャフトを受け取るために、ゴルフクラブヘッド１００に穴（図示しない）を備えていてもよい（例えば、頂壁部１４２の同一平面に穴の開口を備えていてもよい）。
【００１２】
例えば、図２に示されるように、ゴルフクラブヘッド１００はフロントエンド面２１０、底面２２０、そしてロフト面２３０を備えていてもよい。フロントエンド面２１０は底面２２０に垂直であってもよい。底面２２０はゴルフクラブヘッド１００の底壁部１４４に実質的に平行であってもよい。ロフト面２３０はゴルフクラブヘッド１００のフェース部１４０に実質的に平行であってもよいし、交線２３５上で底面２２０と交差してもよい。フロントエンド面２１０とロフト面２３０はロフト角２５０（θ）を形成してもよい。
【００１３】
上述したように、ゴルフクラブヘッド１００でゴルフボールを打つときに、ゴルフボール（図示しない）に回転が伝えられてもよい。ゴルフボールのボール飛行と飛距離は、ゴルフクラブヘッド１００によって加えられた回転に基づいて変化してもよい。例えば、比較的大きなロフト角を有するゴルフクラブヘッドは比較的高いボール飛行を得られる一方で、飛距離が比較的短くなることがある。これに対し、比較的小さいロフト角を有するゴルフクラブヘッドは、比較的遠い飛距離を得られる一方で、ボール飛行が比較的低くなることがある。したがって、ユーザに広い範囲のボール飛行と飛距離を提供するために、１セットのゴルフクラブは、ロフト角が順に異なるものをを含んでもよい。以下に詳述するように、様々なロフト角を有するゴルフクラブヘッド群において、同じ位置にウェイトを配置して製造することに代えて、ロフト角２５０に応じて内部もしくは外部にウェイト（図示しない）を配置してもよい。本実施形態に開示される方法、装置及び製造物はこの点において限定されるものではない。
【００１４】
図３〜１０の例において、通常、第１ゴルフクラブヘッド３００（例えば、図３、５、７、９）は第１ウェイト（例えば、図７の７１０）を、第２ゴルフクラブヘッド４００（例えば、図４、６、８、１０）は第２ウェイト（例えば、図８の８１０）を、それぞれ備えてもよい。以下で詳述するように、第１ウェイト７１０（図７）と第２ウェイト（図８）のそれぞれが、ロフト角に基づく特定のウェイト位置に配置されていてもよい。第１ウェイト７１０と第２ウェイト８１０は、内蔵式のウェイトとして描かれているが（例えば、第１ゴルフクラブヘッド３００と第２ゴルフクラブヘッド４００内）、第１ウェイト７１０と第２ウェイト８１０は、外部のウェイトであってもよい。あるいは、第１ウェイト７１０と第２ウェイト８１０は、第１ゴルフクラブヘッド３００と第２ゴルフクラブヘッド４００のそれぞれに関連付けられた内部の部分と外部の部分を有していてもよい。
【００１５】
図３、５、７、及び／又は９に図示されるように、第１ゴルフクラブヘッド３００は、第１トゥエンド３３０、第１ヒールエンド３３２、第１フロントエンド３３４、第１バックエンド３３６、第１フェース部３４０、第１頂壁部３４２、第１底壁部３４４を有していてもよい。例えば、第１ゴルフクラブヘッド３００は第１フロントエンド面５１０、第１底面５２０、そして第１ロフト面５３０を備えていてもよい。上述および図２に示したフロントエンド面２１０と底面２２０のように、第１フロントエンド面５１０は第１底面５２０に垂直であってもよい。第１底面５２０は第１ゴルフクラブヘッド３００の第１底壁部３４４に実質的に平行であってもよい。第１フロントエンド面５１０と第１底面５２０は相互に垂直で、第１交線５３５上で交差してもよい。第１ロフト面５３０は、第１ゴルフクラブヘッド３００の第１フェース面に実質的に平行であってもよい。第１ロフト面５３０もまた、第１底面５２０と第１交線５３５上で交差してもよい。第１フロントエンド面５１０と第１ロフト面５３０は第１ロフト角５５０（θ１）を形成してもよい。
【００１６】
第１フロントエンド面５１０は、第１クラブヘッド３００の第１フロントエンド３３４から第１バックエンド３３６に延びる第１軸３８０（図３と７）に交差してもよい。一つの例は、第１軸３８０は、第１クラブヘッド３００の第１フェース部３４０の中心にあってもよい。別の一例では、第１軸３８０は第１クラブヘッド３００の第１ヒールエンド３３２もしくは第１トゥエンド３３０に向かって配置されてもよい。または、第１軸３８０は第１頂壁部３４２または第１底壁部３４４に対向して配置されてもよい。
【００１７】
図４、６、８、及び／又は１０に示したように、第２ゴルフクラブヘッド４００は、第２トゥエンド４３０、第２ヒールエンド４３２、第２フロントエンド４３４、第２バックエンド４３６、第２フェース部４４０、第２頂壁部４４２、第２底壁部４４４を備えていてもよい。例えば、第２ゴルフクラブヘッド４００は第２フロントエンド面６１０、第２底面６２０、そして第２ロフト面６３０を備えていてもよい。上述（図５）した第１フロントエンド面５１０と第１底面５２０と同様に、第２フロントエンド面６１０と第２底面６２０は相互に垂直であるとともに、第２交線６３５上で交差してもよい。第２底面６２０は第２ゴルフクラブヘッド４００の第２底壁部４４４に実質的に平行であってもよい。第２ロフト面６３０は第２ゴルフクラブヘッド４００の第２フェース部４４４に実質的に平行であってもよい。第２ロフト面６３０もまた、第２交線６３５上で第２底面６２０と交差してもよい。第２フロントエンド面６１０と第２ロフト面６３０は、第２ロフト角６５０（θ２）を形成してもよい。
【００１８】
第２フロントエンド面６１０は、第２クラブヘッド４００の第２フロントエンド４３４から第２バックエンド４３６に延びる第２軸４８０と交差してもよい（図４及び８）。一つの例では、第２軸４８０は、第２クラブヘッド４００の第２フェース部４４０の中心にあってもよい。別の一例では、第２軸４８０は、第２クラブヘッド４００の第２ヒールエンド４３２もしくは第２トゥエンド４３０に向かって配置されていてもよい。これに加えて、あるいは、この代替として、第２軸４８０は、第２頂壁部４４２または第２底壁部４４４に対向して配置されていてもよい。
【００１９】
上述のように、第１ゴルフクラブヘッド３００は第１ウェイト７１０を備えていてもよいし（図７、９）、第２ゴルフクラブヘッド４００は第２ウェイト８１０を備えていてもよい（図８、１０）。特に、第１ウェイト７１０は第１ウェイト位置７２０に配置されてもよく、第２ウェイト８１０は第２ウェイト位置８２０に配置されてもよい。第１ウェイト位置７２０は、第１ロフト面５３０と第１バックエンド３３６間の第１軸３８０に沿った距離もしくはその近傍に配されていてもよい。第２ウェイト位置８２０は、第２ロフト面６３０と第２バックエンド４３６間の第２軸４８０に沿った距離もしくはその近傍に配されていてもよい。一つの例では、第１ウェイト位置７２０は第１ウェイト７１０の重心の位置に対応していてもよく、第２ウェイト位置８２０は第２ウェイト８１０の重心の位置に対応していてもよい。もしくは、第１ウェイト位置７２０は第１ウェイト７１０の端の位置に対応していてもよく、第２ウェイト位置８２０は第２ウェイト８１０の端の位置に対応していてもよい。
【００２０】
第１ウェイト位置７２０は、第１ロフト角５５０によって定義されてもよいが、この一方で、第２ウェイト位置８２０は第２ロフト角６５０によって定義されてもよい。更には、第１ウェイト位置７２０は、第１フロントエンド面５１０からの第１距離７２２（Ｘ１）もしくはその近傍に配されてもよいし、第２ウェイト位置８２０は、第２フロントエンド面６１０からの第２距離８２２（Ｘ２）もしくはその近傍に配されてもよい。通常、第２ロフト角６５０は第１ロフト角５５０よりも大きい（θ２＞θ１）。しかしながら、第２フロントエンド面６１０に対する第２ウェイト位置８２０は、第１フロントエンド面５１０に対する第１ウェイト位置７２０よりも、比較的近い位置であってもよい（Ｘ１＞Ｘ２）。すなわち、ロフト角が増加するにつれ、フロントエンド面に対するウェイト位置の距離は減少してもよい（例えば、ウェイトはフロントエンド面の近くに配置されてもよい）。従って、フロントエンド面に対するウェイト位置の距離はゴルフクラブヘッドのロフト角に反比例してもよい。
【００２１】
図には第１ウェイト７１０と第２ウェイト８１０は楕円形状に図示しているが、第１ウェイト７１０もしくは第２ウェイト８１０は、円形状や、多角形形状、もしくは自由形状（例えば八の字状や、肝臓様状など）であってもよいし、その他の適当な形状であってもよい。第１ウェイト７１０と第２ウェイト８１０は同じ形状で記載しているが、第１ウェイト７１０と第２ウェイト８１０は異なる形状であってもよい。一つの例では、第１ウェイト７１０と第２ウェイト８１０は、それぞれ少なくとも４８グラムであってもよい。一つの例では、第１ウェイト７１０と第２ウェイト８１０は、それぞれクラブヘッドから取り外し可能であってもよいし、もしくはクラブヘッドに固定されていてもよい。また、第１ウェイト７１０と第２ウェイト８１０は、長さ２．３インチ、幅１．５インチ、厚さ０．３インチの寸法を有していてもよい。第１ウェイト７１０と第２ウェイト８１０は、単一のウェイトで構成されていてもよいし、もしくは別個の複数のウェイトで構成されていてもよい。第１ウェイト７１０と第２ウェイト８１０は、スチール、チタニウム、チタニウム合金、タングステン等の金属材料、または他の適当な材料を有していてもよい。上記の例では、ウェイトの特定のサイズや、形、そして材料について記載したが、本明細書に開示される製造に関する装置、方法、製造物は、様々なサイズ、形状、材料によって構成されていてもよい。本実施形態に開示される方法、装置及び製造物はこの点において限定されるものではない。
【００２２】
一般に、ウェイトの位置（例えば、図７の第１ウェイト位置７２０、もしくは図８の第２ウェイト位置８２０）はゴルフクラブヘッドのロフト角に基づいてもよい。ウェイト位置とフロントエンド面間の距離は、線形状（例えば図１１）もしくは非線形状（例えば図１２）のいずれかによってロフト角と相関を有していてもよい。図１１に示すように、ウェイト位置とロフト角間の線形状の関係１１００は、ｘ＝（−０．０８６×θ）＋３．２９７の式で定義されてもよい。ここでｘはウェイト位置とフロントエンド面との距離（単位はインチ）で、θはロフト角（単位は角度で、例えば線１１１０として示す）として表される。ロフト角が増加するに従って、ウェイト位置とフロントエンド面との間の距離は減少してもよい。例えば、上記の式は、１５インチのロフト角を有するゴルフクラブヘッドは、ウェイトがフロントエンド面からおよそ２インチ程度であってもよいが、２０度のロフト角を有するゴルフクラブヘッドは、フロントエンド面から１．５インチ程度の位置にウェイトを有していてもよい。さらに、１５度のロフト角を有するゴルフクラブヘッドのための適当なおもりの配置の範囲は１．５インチ（１１１４）から２．５インチ（１１１６）の間であってもよい。または、ウェイト位置とロフト角との関係は範囲によって定義されてもよい。例えば、点線で示すように、適当なウェイト位置１１５０の範囲は境界１１５４と境界１１５６との間に定義されてもよい。適当なウェイト位置１１５０の範囲は、（−０．０８６×θ）＋３．７９７≧ｘ≧（−０．０８６×θ）＋２．７９７の式で定義されてもよい。図１１は特定の範囲のロフト角の例を式で表したが、本実施形態に開示される方法、装置及び製造物はこの点において限定されるものではない。
【００２３】
また、上述したように、ウェイト位置はロフト角に非線形状に反比例していてもよい。図１２に示すように、ウェイト位置とロフト角間の非線形状の関係１２００は、ｘ＝（−０．００９×θ＾２）＋（０．１９４×θ）＋１．１９２の式で定義されてもよい。ここでｘはウェイト位置とフロントエンド面との距離（単位はインチ）で、θはロフト角（単位は角度で、例えば線１２１０として示す）として表される。ロフト角が増加するに従って、ウェイト位置とフロントエンド面との間の距離は減少してもよい。一つの例では、適当なウェイト位置の範囲は、（−０．００９×θ＾２）＋（０．１９４×θ）＋２．１９２≧ｘ≧（−０．００９×θ＾２）＋（０．１９４×θ）＋０．１９２によって定義されてもよい。図１２は特定の範囲のロフト角の例を式で表したが、本実施形態に開示される方法、装置及び製造物はこの点において限定されるものではない。
【００２４】
２以上のゴルフクラブ（例えば、フェアウェイウッドタイプやハイブリッドタイプのゴルフクラブを含むゴルフクラブのセット）を有するゴルフクラブのセットにおいて、それらのウェイト位置とフロントエンド面間の距離は、各ユーザの能力に基づいてもよい。一つの例では、ゴルフクラブのセットにおけるウェイト位置とフロントエンド面（例えば７２２もしくは８２２）間の距離は、比較的熟練した人（例えばハンディキャップの低い人）には、直線状の方法を適用してもよいが、比較的あまり熟練していない人（例えばより高いハンディキャップがある人）には非線形状の方法を適用してもよい。一般に、ウェイトがフロントエンド面の近くに配されるとより少ない回転が発生される。比較的熟練した人にとっては、回転量が直線的（例えば線形状）に増加するゴルフクラブヘッドのサブセットが適切といえる（すなわち、より熟練した個人であれば、それほど熟練していない人に比べて、ゴルフクラブのセットのロフト角の増加に応じた回転が少ないほうがよい場合もある、）。
【００２５】
図１３に示すように、例えばゴルフクラブヘッドからの各ゴルフショットは、通常、第１軌道１３１０、第２軌道１３２０、第３軌道１３３０のように、ボールの飛行軌道１３００に関連付けられる。例えば、以下に記載するように、クラブヘッド速度およびロフト角は、全ての飛行軌道１３００において一定であってもよい。特に、ボールの飛行軌道１３００は、ゴルフボールの高さと飛距離についてのゴルフクラブヘッドのウェイト位置の効果として表されてもよい。ボール飛行軌道１３００は軸に沿ったウェイトの移動によって変化してもよく、ウェイトの移動はフロントエンド面の垂直方向（例えば、図３の軸３８０もしくは図４の軸４８０）であってもよい。
【００２６】
一つの例として、第２軌道１３２０は、適切なスピンと飛距離を与えるウェイト位置として表すことができる。これに対し、第１軌道１３１０に関連付けられるウェイト位置は、第２軌道１３２０に関連付けられるウェイト位置よりもフロントエンド面から離れている。その結果、第１軌道に関連付けられるウェイト位置は、比較的に多量のスピンを生じさせ、ボールを比較的高く飛行させるとともに、短い飛距離をもたらす。別の例として、第３軌道１３３０に関連付けられたウェイト位置は、第２軌道１３２０に関連付けられるウェイト位置よりもフロントエンド面に近い。従って、第３軌道１３３０に関連付けられたウェイト位置は、比較的に少量のスピンを生じさせ、ボールを比較的低く飛行させるとともに、長い飛距離をもたらす。本実施形態に開示される方法、装置及び製造物はこの点において限定されるものではない。
【００２７】
以上の結果、比較的小さなロフト角と比較的フロントエンド面から離れたウェイト位置を有するゴルフクラブヘッドは、ゴルフボールのボール飛行高さを増加させるようにゴルフボールに印加されるスピンの量を増加させることができる。比較的大きなロフト角と比較的フロントエンド面に近いウェイト位置を有するゴルフクラブヘッドは、ゴルフボールのボール飛距離を増加させるようにゴルフボールに印加されるスピンの量を減少させることができる。さらに、比較的小さいロフト角と比較的フロントエンド面から離れたウェイト位置を有するゴルフクラブヘッドよりも、比較的大きなロフト角と比較的フロントエンド面に近いウェイト位置を有するゴルフクラブヘッドは、回転数を比較的少なくすることができる。ゴルフボールに比較的少ない回転を印加するように打つと、より良い感覚を与えるように振動の量を減少することができる。本実施形態に開示される方法、装置及び製造物はこの点において限定されるものではない。
【００２８】
上記の例は、ゴルフクラブヘッド１００の様々な部分や表面について説明したが、ゴルフクラブヘッド１００は特定の部分や面を含まなくてもよい。例えば、図１は、頂壁部１４２、底壁部１４４、および側壁１４６は別々の面として表しているが、側壁１４６は空洞のボディ１１０の頂壁部１４２もしくは底壁部１４４のいずれかと単一表面上でつながっていてもよい（例えば、ボディ１１０は側壁１４６ではなく、頂壁部１４２と底壁部１４４を含んでもよい）。１つの例では、底壁部１４４と側壁１４６はボディ１１０の単一底面につながっていてもよい。さらに、図１はホーゼル１６０とホーゼル遷移部１６５を図示しているが、ゴルフクラブヘッド１００はホーゼル１６０や、ホーゼル遷移部１６５を含まなくてもよい。１つの例では、ゴルフクラブヘッド１００は、シャフト１９８を受け入れるために、ボディ１００に穴（図示しない）を有してもよい（例えば、穴の開口は頂壁部１４２に同一高さであってもよい）。１つの例では、クラブヘッド１００は底壁部またはその近傍に複数のウェイトを有していてもよい（例えば、図９のウェイト７１０は１以上のウェイトを備える）。
【００２９】
上述の図のいくつかは、汎用のクラブヘッド、又は、金属、及び木製タイプのクラブヘッド（例えば、ドライバー、フェアウェイウッドなど）について記載したが、ここで説明した製造方法、装置、および製造物は容易に他の適当なタイプのゴルフクラブヘッドに適用することができる。例えば、本実施形態に開示される製造方法、装置、および製造物は、ハイブリッドタイプのクラブヘッド、アイアンタイプクラブヘッド、または他の適当なタイプのゴルフクラブヘッドに適用してもよい。本実施形態に開示される方法、装置及び製造物はこの点において限定されるものではない。
【００３０】
図１４に示すように、プロセス１４００は、ゴルフクラブを形成するために、クラブヘッド１００（図１）を鋳造する工程から開始することができる（ブロック１４１０）。上述のように、クラブヘッド１００はロフト角を定義するフェース部１４０を有してもよい。プロセス１４００は、上述のように線形状もしくは非線形状のいずれかの手法によって、ロフト角（例えば図５の第１ロフト角５１０）に基づいて決定されるフロントエンド面からの距離にウェイト（例えば図５のウェイト５１８）を配置してもよい（ブロック１４２０）。さらに、プロセス１４００は、上で説明されるように、シャフト（例えば、図１のシャフト１９８）をクラブヘッド１００に固定してもよい（ブロック１４３０）。さらに、プロセス１４００は、クラブヘッド１００へのシャフトの固定（例えば図１のシャフト１９８）を備えてもよい（ブロック１４３０）。また、プロセス１４００は、クラブヘッド１００へのグリップの固定（例えば図１のグリップ１９９）を備えてもよい（ブロック１４４０）。
【００３１】
プロセス１４００は、ゴルフクラブヘッド１００に関して説明したが、プロセス１４００は他のゴルフクラブヘッドに適用してもよい。さらに、図１４で特定の操作手順を図示したが、他の順序でこれらの操作を実行してもよい。例えば、図１４には２つ以上の操作を図示しているが、連続的、同時、またはほぼ同時に実行してもよい。以上、特定の方法、装置及び製造物の例が開示されているが、本願で開示される発明の保護範囲はそれらに限定されるものではない。一方、本開示は、文言上又は均等の原則のいずれかにおいて添付の請求項の範囲に公正に含まれる全ての方法、装置及び製造物を保護する。
【図１】
2010029660.tif 000003
【図２】
2010029660.tif 000004
【図３】
2010029660.tif 000005
【図４】
2010029660.tif 000006
【図５】
2010029660.tif 000007
【図６】
2010029660.tif 000008
【図７】
2010029660.tif 000009
【図８】
2010029660.tif 000010
【図９】
2010029660.tif 000011
【図１０】
2010029660.tif 000012
【図１１】
2010029660.tif 000013
【図１２】
2010029660.tif 000014
【図１３】
2010029660.tif 000015
【図１４】
2010029660.tif 000016
【外国語明細書】
2010029660000001.pdf
2010029660000002.pdf
2010029660000003.pdf
2010029660000004.pdf